(57)【要約】【課題】カメラにおいて、撮影者が自由にレリーズボタン位置を決定できるカメラを提供することを課題とする。【解決手段】カメラ１０の全ての面にはコネクタ１４が複数設けられ、レリーズボタンユニット１２を装着することでレリーズとして使用することができる。これにより、縦位置での撮影や接写、利き腕の左右、撮影者の好み等に対応してカメラ１０表面に複数設けられたコネクタ１４の中から任意にレリーズボタン位置を選択することができる。このレリーズボタンユニット１２はカメラ１０上に同時に複数個装着することも可能であり、複数個装着されたレリーズボタンユニット１２は、どれも等しくレリーズボタンとして使用可能なので特に縦横位置を切替えて撮影する際に有効である。【選択図】　図１
2004004309.tif 000002
【特許請求の範囲】
【請求項１】
レリーズ信号を発生するデバイスを装着するためのコネクタをボディ表面に複数備えていることを特徴としたカメラ。
【請求項２】
ボディに着脱自在のレリーズボタンを装着出来るカメラであって、前記レリーズボタンを装着するためのコネクタをボディ表面に複数備えていることを特徴としたカメラ。
【請求項３】
前記コネクタの内側または外側または両側に防塵シャッターを設けたことを特徴とした請求項１〜請求項２に記載のカメラ。
【発明の詳細な説明】
【０００１】
【発明の属する技術分野】
本発明はカメラに関するものである。
【０００２】
【従来の技術】
従来、市販されているカメラの殆どは右手でレリーズを切ることを前提として設計されているため、左利きの人や手指に障害を持つ人にとっては使いやすい物ではなかった。
【０００３】
また図１２に示すように、外付けモータードライブ１０２に縦位置撮影用レリーズボタン１０４をボディ１００とは別の位置に設けた例は従来より存在するが、これも右手用のレリーズボタンであり、撮影位置への対応であって利き腕や手指の障害に対しては特に顧みられていない。
【０００４】
【発明が解決しようとする課題】
本発明は上記事実を考慮し、撮影者が自由にレリーズボタン位置を決定できるカメラを提供することを課題とする。
【０００５】
【課題を解決するための手段】
請求項１に記載のカメラはレリーズ信号を発生するデバイスを装着するためのコネクタをボディ表面に複数備えていることを特徴とする。
【０００６】
上記構成の発明では、カメラボディ表面に複数備わったコネクタから撮影者が任意の１箇所を選択してレリーズ信号を発生するデバイスを装着し、撮影時に使用できる。このデバイスはシャッターボタンのほか、ケーブルレリーズ、赤外線受光部、セルフタイマ−等が適用できる。いずれも、カメラボディ表面に複数設けられたコネクタから装着箇所を撮影者が任意に選択できるので、撮影条件や撮影者の利き腕などに対して柔軟に対応可能となる。
【０００７】
請求項２に記載のカメラはボディに着脱自在のレリーズボタンを装着出来るカメラであって、レリーズボタンを装着するためのコネクタをボディ表面に複数備えていることを特徴とする。
【０００８】
上記構成の発明では、カメラボディ表面に複数備わったコネクタから撮影者が任意の１箇所を選択してレリーズボタンを装着し、撮影時に使用できる。このレリーズボタンはカメラボディ表面に複数設けられたコネクタから装着箇所を撮影者が任意に選択できるので、撮影条件や撮影者の利き腕などに対して柔軟に対応可能となる。
【０００９】
請求項３に記載のカメラはコネクタの内側または外側または両側に防塵シャッターを設けたことを特徴とする。
【００１０】
上記構成の発明では、カメラボディに複数設けられたコネクタの内側または外側または両側に防塵シャッターを設けることにより、コネクタ開口部からカメラ内部やコネクタ接点にゴミ・埃が侵入するのを防ぐことができる。
【００１１】
【発明の実施の形態】
図１には、第１形態に係るカメラの斜視図が示されている。
【００１２】
図１に示すようにカメラ１０は箱型で長方形の前方投影面をもち、前面にレンズ１６、ファインダ１８などを備えている。その他に固定式やポップアップ式のストロボ１７を備えていてもよい。
【００１３】
カメラ１０の全ての面にはコネクタ１４が設けられ、レリーズボタンユニット１２を装着することでレリーズとして使用することができる。これにより、縦位置での撮影や接写、利き腕の左右、撮影者の好み等に対応してカメラ１０表面に複数設けられたコネクタ１４の中から任意にレリーズボタン位置を選択することができる。
【００１４】
また、このレリーズボタンユニット１２はカメラ１０上に同時に複数個装着することも可能であり、複数個装着されたレリーズボタンユニット１２は、どれも等しくレリーズボタンとして使用可能なので特に縦横位置を切替えて撮影する際に有効である。
【００１５】
図２には、第１形態に係るカメラのコネクタ１４付近の拡大図が示されている。
【００１６】
図２に示すようにカメラ１０に複数設けられたコネクタ１４には防塵シャッター２０が夫々設けられ、コネクタ１４内部にゴミ・埃や水滴などが侵入するのを防ぐことができる。未使用状態のコネクタ１４は防塵シャッター２０でカバーされ、外部からの異物の進入以外にもコネクタ１４の電気接点に金属片などの導通物が接触し、誤ってシャッターが切られることを防ぐこともできる。
【００１７】
防塵シャッター２０はコネクタ１４を完全にカバーできる大きさの略皿型であり、軸部２２でカメラ１０上に回動可能に軸支されている。防塵シャッター２０はコネクタ１４内部の電気接点と接触するため、樹脂等の不導体で形成されることが望ましい。
【００１８】
また、コネクタ１４開口部には切り欠き１５を設けることで、レリーズボタンユニット１２を装着する際に装着する方向を規定できる。これにより、カメラ１０の内部配線とレリーズボタンユニット１２の接触位置も規定できる。
【００１９】
図３には、第１形態に係るカメラのコネクタ１４付近の断面図が示されている。
【００２０】
図３に示すように、カメラ１０に複数設けられたコネクタ１４にレリーズボタンユニット１２を挿入して固定することによりレリーズとして使用することができる。
【００２１】
レリーズボタンユニット１２内部にはマイクロスイッチ２８が固定されており、押ボタン部２４を押下することでマイクロスイッチ２８を押し、ＯＮにする構造となっている。押ボタン部２４はスプリング部材２６で外側へ付勢され、マイクロスイッチ２８が押し放しの状態になることを防いでいる。
【００２２】
マイクロスイッチ２８はレリーズボタンユニット１２の導通部４０に接続され、レリーズボタンユニット１２がコネクタ１４に装着された状態ではコネクタ１４の端子４２と接触・導通している。
【００２３】
図４には、第１形態に係るカメラのコネクタ１４付近の内部の拡大図が示されている。
【００２４】
図４に示すように、カメラ１０内部には配線４４が設けられ、コネクタ１４とレリーズボタンユニット１２を接続する端子４２を図示しない制御部と接続している。
【００２５】
配線４４はコネクタ１４の数だけ設ける必要があり、狭いカメラ内部に多数の配線を引き回すことによる他部品との干渉や誤配線の危険を避けるため、ＦＰＣなどを使用することが望ましい。
【００２６】
図５には、第１形態に係るカメラのコネクタ１４とレリーズボタンユニット１２の拡大図が示されている。
【００２７】
図５に示すように、レリーズボタンユニット１２の脚部４６をコネクタ１４に挿入し、嵌合して固定することでレリーズボタンとして使用する。脚部４６がコネクタ１４と嵌合する部分の外径はコネクタ１４の内径より僅かに小さく、従ってレリーズボタンユニット１２をコネクタ１４に嵌合した状態では、脚部４６は外側からコネクタ１４に押圧され、それ自身の弾性で外側へ広がる方向に付勢されている。
【００２８】
このとき脚部４６に設けられた導通部４０はレリーズボタンユニット１２内部のマイクロスイッチ２８の図示しない端子から延設され、コネクタ１４に設けられた一対の端子４２と接触した状態で固定される。端子４２は夫々、配線４４に接続されており、図示しない制御部までマイクロスイッチ２８を電気的に接続している。
【００２９】
脚部４６は前述のようにコネクタ１４に挿入した状態では外側へ広がる方向に付勢されているので、導通部４０は確実に端子４２と接触し、導通不良を起こす恐れはない。
【００３０】
図６には、第２形態に係るカメラのコネクタ１４とレリーズボタンユニット１２の拡大図が示されている。
【００３１】
図６に示すように、コネクタ１４の内壁には雌ネジ部３２を設け、レリーズボタンユニット１２には雌ネジ部３２と螺合する雄ネジ３０を切ることで、雌ネジ部３２に雄ネジ３０を螺合させレリーズボタンユニット１２をコネクタ１４に固定することができる。
【００３２】
この場合、コネクタ１４には防塵シャッター２０を設けてもよいが、シャッターの代わりに雌ネジ３２部に螺合するネジキャップ３４を使用してもよい。
【００３３】
使用したいコネクタ１４のネジキャップ３４を外し、レリーズボタンユニット１２を装着してレリーズボタンとし、外したネジキャップ３４はそれまでレリーズボタンユニット１２が装着されていたコネクタ１４の空いた箇所に装着するようにすれば、外したネジキャップ３４を収納する場所をカメラ１０に設ける必要はない。
【００３４】
図７には、第２形態に係るカメラのコネクタ１４とレリーズボタンユニット１２の断面図が示されている。
【００３５】
図７に示すように、雌ネジ部３２がコネクタ１４の内壁を形成し、レリーズボタンユニット１２の雄ネジ３０がこれに螺合する。雄ネジ３０内部にはスイッチユニット３８が内蔵されており、スイッチユニット３８先端はコネクタ１４底部の形状に合わせて段差が設けられ、端子３５が設けられている。雄ネジ３０はスイッチユニット３８とは独立して回転するため、雄ネジ３０を締め込んでゆくとスイッチユニット３８をコネクタ１４の底部に押し付ける方向に押圧するのみで、回転方向には押圧しない。
【００３６】
これにより、スイッチユニット３８をコネクタ１４に挿入する際の方向をコネクタ１４底部の段差で規制し、かつ雄ネジ３０を回してレリーズボタンユニット１２を固定しても位置・角度のズレは発生しない。
【００３７】
コネクタ１４の底部には端子３６が設けられ、カメラ１０内側で配線４４と接続されている。配線４４は図４で示したように、コネクタ１４夫々を図示しない制御部へ電気的に接続する。
【００３８】
スイッチユニット３８の段差をコネクタ１４底部の段差に合わせて挿入し、雄ネジ３０を回してスイッチユニット３８を固定すると、スイッチユニット３８段差に設けられた接点３５がコネクタ１４底部の端子３６と接触し、スイッチユニット３８は電気的に制御部と接続される。これにより、レリーズボタンユニット１２はレリーズボタンとして作用する。
【００３９】
図８には、第３形態に係るカメラのコネクタ１４とレリーズボタンユニット１２の断面図が示されている。
【００４０】
図８に示すように、コネクタ１４底部には夫々マイクロスイッチ２８が固定されており、配線４４で図示しない制御部へ接続されている。
【００４１】
レリーズボタンユニット１２をコネクタ１４に装着すると、押ボタン部２４中央裏側から延設された突起部４７が、コネクタ１４底部のマイクロスイッチ２８のアクチュエータ４８に届く。押ボタン部２４はバネ部材２６で外側へ付勢されており、バネ部材２６を圧縮する方向に押ボタン部２４を押下してゆくと、突起部４７がアクチュエータ４８を押下し、マイクロスイッチ２８が作動し、レリーズが切れて撮影が行われる。
【００４２】
この方法では、レリーズボタンユニット１２が電気的な接続を必要としないので装着時の方向を規定する必要がない、装着精度をそれほど高める必要がない、紛失することを前提として複数必要なレリーズボタンユニット１２の単価を安くできる、といった利点がある。
【００４３】
図９には、第４形態に係るカメラのコネクタ１４とレリーズボタンユニット１２の断面図が示されている。
【００４４】
図９に示すように、コネクタ１４の縁には端子４２が２箇所設けられており、レリーズボタンユニット１２を挿入・固定すると脚部４６上の対応する箇所に設けられた導通部４０と接触して導通する。
【００４５】
この状態で押ボタン部２４を押下し、押ボタン部２４の裏面中央から突設された突起部４７がカメラ１０内部方向に挿入されると、突起部４７に設けられた導通部４１がコネクタ１４の縁にある２個の端子４２の間に移動し、端子４２を導通させる。これにより図示しない制御部にレリーズ信号を送る。
【００４６】
図１０には、第４形態に係るカメラのコネクタ１４とレリーズボタンユニット１２の斜視図が示されている。
【００４７】
図１０に示すように、コネクタ１４には切り欠き部１５が２ヶ所あり、切り欠き部から回転方向に９０度ずれた場所に端子部４２が設けられている。
【００４８】
レリーズボタンユニット１２をコネクタ１４に挿入して９０度回転させると、脚部４６に設けられた導通部４０と端子部４２が接触した状態で固定することができる。脚部４６と突起部４７、導通部４１には確実に接触させるため間隙は存在せず、脚部４６をコネクタ１４に挿入する際には、脚部４６に突設された凸部４５を切り欠き部１５の位置に合わせて挿入し９０度回転させることで、レリーズボタンユニット１２の固定と導通部４０・端子４２の接触を確実にする。
【００４９】
このとき、レリーズボタンユニット１２の回転を最適な位置で止めるために、凸部４５の回転位置を規制するストッパー１９が端子４２に隣接して設けられている。すなわち、レリーズボタンユニット１２をコネクタ１４に挿入して回転させると、導通部４０・端子４２が最も確実に接触する位置で凸部４５がストッパー１９に当り、回転が規制されるため最適な位置でレリーズボタンユニット１２の回転を止め、固定することができる。
【００５０】
図１１には、第１形態に係るカメラの応用例が示されている。
【００５１】
図１１に示すように、カメラ１０のコネクタ１４同士をケーブル５０で接続することにより、複数のカメラをチェーン接続することができる。このカメラ１０のうち一台にレリーズボタンユニット１２を装着し、レリーズすると同時に（ケーブル５０が接続されたコネクタ１４を含む）全てのコネクタ１４ににレリーズ信号を送る機能を持たせることで、１個のレリーズボタンユニット１２で全部のカメラ１０をレリーズすることができる。
【００５２】
この複数のカメラを単一の被写体に向けてマルチアングル撮影が可能となる。また、レンズを外に向けてカメラ１０を円周上に配置すればパノラマ撮影が可能となる。あるいは、カメラ１０内部でレリーズ信号を送る際にディレイを掛ける機能を持たせることで、一定間隔で複数のカメラ１０をレリーズする連続撮影が可能となる。
【００５３】
【発明の効果】
本発明は上記構成としたので、撮影者が自由にレリーズボタン位置を決定できるカメラを提供することができた。
【図面の簡単な説明】
【図１】本実施形態１に係るカメラの斜視図である。
【図２】本実施形態１に係るカメラの拡大図である。
【図３】本実施形態１に係るカメラの断面図である。
【図４】本実施形態１に係るカメラの内側斜視図である。
【図５】本実施形態１に係るカメラのコネクタ部拡大図である。
【図６】本実施形態２に係るカメラのコネクタ部拡大図である。
【図７】本実施形態２に係るカメラのコネクタ部断面図である。
【図８】本実施形態３に係るカメラのコネクタ部断面図である。
【図９】本実施形態４に係るカメラのコネクタ部断面図である。
【図１０】本実施形態４に係るカメラのコネクタ部斜視図である。
【図１１】本実施形態１に係るカメラの応用例斜視図である。
【図１２】従来のカメラの正面図である。
【符号の説明】
１０　　カメラ
１２　　レリーズボタンユニット
１４　　コネクタ
１５　　切り欠き部
１６　　レンズ
１７　　ストロボ
１８　　ファインダ
１９　　ストッパー
２０　　防塵シャッター
２４　　押ボタン部
２６　　バネ部材
２８　　マイクロスイッチ
３０　　雄ネジ
３２　　雌ネジ部
３４　　ネジキャップ
３５　　接点
３６　　端子
３８　　スイッチユニット
４０　　導通部
４１　　導通部
４２　　端子
４４　　配線
４６　　脚部
４７　　突起部
４８　　アクチュエータ
５０　　ケーブル
【図１】
2004004309.tif 000003
【図２】
2004004309.tif 000004
【図３】
2004004309.tif 000005
【図４】
2004004309.tif 000006
【図５】
2004004309.tif 000007
【図６】
2004004309.tif 000008
【図７】
2004004309.tif 000009
【図８】
2004004309.tif 000010
【図９】
2004004309.tif 000011
【図１０】
2004004309.tif 000012
【図１１】
2004004309.tif 000013
【図１２】
2004004309.tif 000014